(57)【要約】【課題】石英ガラス製発光管の破裂に起因する外球の破損を防禦する機構を備えたメタルハライドランプを提供すること【解決手段】このメタルハライドランプは、外球内に石英ガラス製発光管を内封したメタルハライドランプであって、前記発光管の破裂による外球の破損を防禦する機構として、前記石英ガラス製発光管を取り巻くシュラウドと、前記シュラウドの周囲を取り巻く金属線とを有し、前記金属線の巻き間隔は、前記発光管のチップオフ部の径をＴとしたとき、少なくとも、ランプ軸線方向に見て前記発光管のチップオフ部から±２Ｔの範囲では密である。【選択図】図１
2015072789.tif 000002
【特許請求の範囲】
【請求項１】
外球内に石英ガラス製発光管を内封したメタルハライドランプに於いて、
前記発光管の破裂による外球の破損を防禦する機構として、
前記石英ガラス製発光管を取り巻くシュラウドと、
前記シュラウドの周囲を取り巻く金属線とを有し、
前記金属線の巻き間隔は、前記発光管のチップオフ部の径をＴとしたとき、少なくとも、ランプ軸線方向に見て前記発光管のチップオフ部から±２Ｔの範囲では密である、メタルハライドランプ。
【請求項２】
外球内に石英ガラス製発光管を内封したメタルハライドランプに於いて、
前記発光管の破裂による外球の破損を防禦する機構として、
前記石英ガラス製発光管を取り巻くシュラウドと、
前記シュラウドの周囲を取り巻く金属線とを有し、
前記金属線の巻き間隔は、前記発光管のチップオフ部の径をＴとしたとき、ランプ軸線方向に見て該チップオフ部から±２Ｔの範囲内では、２Ｔ以下である、メタルハライドランプ。
【請求項３】
請求項１又は２に記載のメタルハライドランプに於いて、
更に、前記発光管のチップオフ部がフレーム側に向くように、該発光管が位置決めされている、メタルハライドランプ。
【請求項４】
請求項１〜３のいずれか一項に記載のメタルハライドランプに於いて、
前記発光管のチップオフ部の形成箇所は、発光管中央部の真ん中であって、両端部の封止部が形成する面に対して垂直な面内にある、メタルハライドランプ。
【請求項５】
請求項１〜３のいずれか一項に記載のメタルハライドランプにおいて、
前記発光管のチップオフ部の形成箇所は、発光管中央部の真ん中であって、両端部の封止部が形成する面内にある、メタルハライドランプ
【請求項６】
請求項１〜３のいずれか一項に記載のメタルハライドランプに於いて、
前記発光管の破裂による外球の破損を防禦する機構として、更に、
前記チップオフ部の径をＴとしたとき、ランプ軸線方向に見て該チップオフ部から±２Ｔの範囲内では、前記金属線は前記フレームに固定されている、メタルハライドランプ。
【請求項７】
請求項６に記載のメタルハライドランプに於いて、
前記金属線は、スポット溶接又はロウ付けにより、前記フレームに固定されている、メタルハライドランプ。
【請求項８】
請求項６に記載のメタルハライドランプに於いて、
前記発光管の破裂による外球の破損を防禦する機構として、更に、
前記チップオフ部の径をＴとしたとき、ランプ軸線方向に見て該チップオフ部から±２Ｔの範囲内では、前記金属線は、前記フレームに形成された切り欠きに固定されている、メタルハライドランプ。
【発明の詳細な説明】
【技術分野】
【０００１】
本発明は、石英ガラス製発光管を用いたメタルハライドランプに関する。更に具体的には、本発明は、石英ガラス製発光管の破裂に起因する外球の破損を防禦する機構を備えたメタルハライドランプに関する。
【背景技術】
【０００２】
高圧水銀ランプ、高圧ナトリウムランプ及びメタルハライドランプのような高輝度放電ランプ（ＨＩＤランプ）は、電極間の放電を利用して発光している。このため、白熱電球と比べて、光束が大きく大規模な空間の照明に適し、エネルギー効率が良いといった種々の特徴を備えている。
【０００３】
特に、メタルハライドランプは、発光物質として金属ハロゲン化物を採用し、白色光（自然光）に近い優れた演色性と、高い発光効率とを有している。このため、工場、体育館、道路等に広く使用されている。
【０００４】
メタルハライドランプでは、外球内部に収納された発光管は、石英ガラスで形成されたものが多い。そのため、ランプの過負荷、異常放電、発光管リーク等の異常事態において、稀に石英ガラス製発光管が破裂することがある。
【０００５】
たとえ発光管が破裂しても、外球が損傷しなければ、発光管破裂の影響は外球内部に留まる。しかし、発光管破裂により外球が損傷すると、発光管破裂の影響はランプ外部の物や人間にまで及ぶことになる。
【０００６】
このため、たとえ発光管が破裂しても外球が損傷しないようにするため、従来からいろいろな外球保護手段が提案されている。例えば、円筒状の石英管（「シュラウド」，「内管」ともいう。）で発光管を包囲して防爆効果をもたす外球保護手段が提案されている。更に、円筒状の石英管の外周面に金属線を螺旋状に巻き付けて、円筒状石英管の機械的強度を増強した外球保護手段も提案されている。
【０００７】
本発明者等は、先行技術として、次の特許文献１〜４を承知している。
【先行技術文献】
【特許文献】
【０００８】
【特許文献１】実開昭49-13571号公報「金属蒸気放電灯」
【特許文献２】特開2006-228583号公報「高圧放電灯」
【特許文献３】実開平48-57979号公報「放電灯」
【特許文献４】特開昭64-71054号公報「厚肉外側包被体内に光源カプセルを取巻く遮蔽体を有する２重包被体付きランプ」
【発明の概要】
【発明が解決しようとする課題】
【０００９】
しかし、シュラウドで発光管を包囲して防爆効果を持たせた場合であっても、発光管破裂により外球が損傷した事例が報告されている。これに対して、シュラウドの機械的強度を強くするため、過度に肉厚のシュラウドを採用すると、ランプの重量が増大する。同時に、重厚なシュラウドを支持する支持部材や位置決めするフレーム部材等も大型化し、ランプ外球内の設計も制約が多くなり、ランプの取扱いも不便になる。
【００１０】
更に、円筒状の石英管の外周面に金属線を螺旋状に巻き付けて、円筒状石英管の機械的強度を増強した外球保護手段であっても、稀に、発光管破裂により外球が損傷した事例が報告されている。この場合の外球損傷事例を調べてみると、発光管破裂したとき周囲に及ぼす破裂エネルギーが局所的に非常に高い箇所があり、この局所的に高い破裂エネルギーによって外球が損傷することが判明した。この外球損傷に関しては、後で詳しく説明する。
【００１１】
従って、本発明は、石英ガラス製発光管の破裂に起因する外球の破損を防禦する機構を備えた新規なメタルハライドランプを提供することを目的とする。
【課題を解決するための手段】
【００１２】
本発明に係るメタルハライドランプは、外球内に石英ガラス製発光管を内封したメタルハライドランプであって、前記発光管の破裂による外球の破損を防禦する機構として、前記石英ガラス製発光管を取り巻くシュラウドと、前記シュラウドの周囲を取り巻く金属線とを有し、前記金属線の巻き間隔は、前記発光管のチップオフ部の径をＴとしたとき、少なくとも、ランプ軸線方向に見て前記発光管のチップオフ部から±２Ｔの範囲では密である。
【００１３】
更に、上記メタルハライドランプでは、前記発光管の破裂による外球の破損を防禦する機構として、前記石英ガラス製発光管を取り巻くシュラウドと、前記シュラウドの周囲を取り巻く金属線とを有し、前記金属線の巻き間隔は、前記発光管のチップオフ部の径をＴとしたとき、ランプ軸線方向に見て該チップオフ部から±２Ｔの範囲内では、２Ｔ以下であってよい。
【００１４】
更に、上記メタルハライドランプでは、更に、前記発光管のチップオフ部がフレーム側に向くように、該発光管が位置決めされていてもよい。
【００１５】
更に、上記メタルハライドランプでは、前記発光管のチップオフ部の形成箇所は、発光管中央部の真ん中であって、両端部の封止部が形成する面に対して垂直な面内にあってよい。
【００１６】
更に、上記メタルハライドランプでは、前記発光管のチップオフ部の形成箇所は、発光管中央部の真ん中であって、両端部の封止部が形成する面内にあってよい。
【００１７】
更に、上記メタルハライドランプでは、前記発光管の破裂による外球の破損を防禦する機構として、更に、前記チップオフ部の径をＴとしたとき、ランプ軸線方向に見て該チップオフ部から±２Ｔの範囲内では、前記金属線は前記フレームに固定されていてもよい。
【００１８】
更に、上記メタルハライドランプでは、前記金属線は、スポット溶接又はロウ付けにより、前記フレームに固定されていてもよい。
【００１９】
更に、上記メタルハライドランプでは、前記発光管の破裂による外球の破損を防禦する機構として、更に、前記チップオフ部の径をＴとしたとき、ランプ軸線方向に見て該チップオフ部から±２Ｔの範囲内では、前記金属線は、前記フレームに形成された切り欠きに固定されていてもよい。
【発明の効果】
【００２０】
本発明によれば、石英ガラス製発光管の破裂に起因する外球の破損を防禦する機構を備えた新規なメタルハライドランプを提供することが出来る。
【図面の簡単な説明】
【００２１】
【図１】図１は、第１実施形態に係るメタルハライドランプの構造の一例を示す図であり、（Ａ）は正面図、（Ｂ）は左側面図である。
【図２Ａ】図２Ａは、図１のメタルハライドランプに用いられている発光管を説明する図であり、（Ａ）は正面図であり、（Ｂ）は左側面図である。
【図２Ｂ】図２Ｂは、石英ガラス製発光管４のチップオフ部に関して説明する図である。
【図２Ｃ】図２Ｃは、図１のメタルハライドランプをランプ軸線に垂直な面（チップオフ部を含む面）で切断した断面図であり、ランプ軸線、発光管のチップオフ部、シュラウド、金属線及びフレーム（支柱）の位置関係を模式的に描いた図である。
【図３】図３は、発光管の変形例を示す図である。
【図４】図４は、第２実施形態に係るメタルハライドランプの構造を示す図であり、（Ａ）は正面図、（Ｂ）は左側面図である。
【図５】図５は、第３実施形態に係るメタルハライドランプの構造を示す図であり、（Ａ）は正面図であり、（Ｂ）は切り欠きを形成したフレーム（支柱）に金属線を巻いた状態を説明する一部拡大図である。
【発明を実施するための形態】
【００２２】
以下、本発明に係る石英ガラス製の発光管を用いたメタルハライドランプの実施形態に付いて、添付の図面を参照しながら詳細に説明する。なお、図中、同じ要素に対しては同じ参照符号を付して、重複した説明を省略する。
【００２３】
［第１の実施形態］
図１は、第１実施形態に係るメタルハライドランプ１０の構造の一例を示す図であり、（Ａ）は正面図、（Ｂ）は左側面図である。
最初に、本実施形態の特徴である外球の破損を防禦する機構以外の部分を簡単に説明する。ランプ１０は、外球２の内部に、発光部となる１個の発光管４を内封し、その周囲を透明石英ガラス管から成る円筒形のシュラウド８が取り囲んだ三重構造となっている。外球２の端部には、Ｅ形（ねじ込み形）の口金６が接合されている。発光管４は、金属の線材や板を組み合わせた構造物に内管を取り付けたマウント１２により、所定の位置に支持され、給電される。なお、図で見てマウント１２の下半分には、始動回路の各種の要素が描かれているが、これらは本実施形態と直接関係が無いため、説明を省略し、またその一部は図面上省略されていることを承知されたい。
【００２４】
これらの各要素について説明する。なお、発光部の構造に関しては、図２Ａ及び図３に関連して後で説明する。
発光管４の容器内には、発光及び放電媒体として、所定量の水銀と、金属ハロゲン化物と、希ガスとして典型的には所定圧力のアルゴンＡｒガスが封入されている。
【００２５】
マウント１２は、外球内にある全ての固形物を含む全体構造を指称する。具体的には、マウント１２は、一対の導入線が気密封着されたステム管１３と、一方の導入線に接続された線材や略長四角形状の枠状に成形した丸棒体から成るフレーム（支柱）１６とを主要部品として構成されている。なお、「フレーム」は、元々「枠」を意味するが、本出願書類では、枠状の支柱、不完全な枠状の支柱のみならず、単なる１本の直線状の支柱も「フレーム」を称している。即ち、シュラウド８及び外球内の様々な部材を支持する部材を、「フレーム」と総称している。本実施形態では、フレーム１６は、ステム１３の胴管部に金属バンドで締め付けられて固定されている。
【００２６】
外球２は、例えば、ホウケイ酸ガラス等の透光性の硬質ガラスからなる。透明型と拡散型（不透明）がある。外球２は、最大口径の中央部２ａ、図で見て上部側の閉塞されたトップ部２ｂ、及び上部側のネック部２ｃを有するＢＴ形をなしている。
ネック部２ｃには、ステム管１３のフレア部が封止された封止部が有る（図示せず。)。封止後、ステム管１３に設けられた排気管（図示せず。）を通じて外球２内は排気され、アルゴンＡｒ等の不活性ガスや窒素Ｎ2ガス等が封入され、或いは真空にした気密雰囲気となっている。
【００２７】
この封止部を覆ってねじ込み形口金６が耐熱性の接着剤を用いて接合され、或いはモールドにより形成された螺旋状のねじ溝に口金６が螺合され取付けられる。
図１に示すメタルハライドランプ１０は、口金６をソケット（図示せず。）に装着して、電源から所定の点灯回路装置（図示せず。）を介して通電され、主電極間の放電により安定した点灯が持続する。
【００２８】
（石英ガラス製発光管）
図２Ａは、図１のメタルハライドランプに用いられている発光管４を説明する図であり、（Ａ）は正面図であり、（Ｂ）は左側面図である。
発光管４は、円筒形の透明石英ガラス管の両端部を加熱押圧した封止部（ピンチシール部）４ａ，４ｃと、中央部４ｂの放電空間から成る。発光管４の両端から封止部４ａ，４ｃを通って中央部４ｂの放電空間に至る電極集成体１４が形成されている。各電極集成体１４は、中央部の放電空間部分ではタングステンＷから成る主電極１４ａが形成され、封止部ではモリブデン箔１４ｂに接続され、更に発光管の外部に至る電極リード１４ｃに接続されている。一方の電極付近に補助電極１７がある。
【００２９】
図２Ｂは、石英ガラス製発光管４のチップオフ部４ｅに関して説明する図である。発光管４は、円筒形の透明石英ガラス管の中央部４ｂにハロゲン化物を封入し、両端から電極集成体１４を挿入し、封止部４ａ，４ｃで気密封止する。その後、（Ａ）に示すように、排気管４ｄを利用して、内部を真空状態にし、所定の不活性ガスを封入する。その後、（Ｂ）に示すように、最後の気密封止の段階で、排気管部分は再溶融して除去され気密封止される。このため、排気管４ｄが除去された痕跡として、ガラスの粒状部（「チップオフ部」という。）４ｅが形成されてしまう。
【００３０】
なお、チップオフ部４ｅの形成箇所は、一実施例では、図２Ａに示すように、中央部４の真ん中であって、封止部４ａ，４ｃが形成する面に対して垂直な面内にある。また、他の実施例では、図３に示すように、チップオフ部４ｅの形成箇所は、中央部４の真ん中であって、封止部４ａ，４ｃが形成する面内にある。
【００３１】
（局所的に高い破裂エネルギー）
図１に示すシュラウド８の外周面に金属線１８に螺旋状に巻き付けて機械的強度を増強した場合であっても、ごく稀に、発光管破裂により外球が損傷した例が報告されている。このような損傷事例を調べてみると、次のことが判明した。発光管４を形成するガラスの厚みは、全体に比較的薄く形成されている。従って、発光管４が破裂しても、通常、破裂片として質量の比較的小さなガラス片が飛散するだけである。このような小さなガラス片は、四方に飛び散っても、シュラウド８の外周面に金属線１８を螺旋状に巻き付けた外球保護手段で十分阻止でき、外球２まで到達することはない。
【００３２】
しかし、発光管４が破裂してチップオフ部４ｅが飛散すると、質量の比較的大きなガラス粒状部４ｅが外球に向かうことになる。例えば、２２０ｗ以上の発光管のチップオフ部４ｅは、当初、内径３ｍｍ、外径５．１〜５．８ｍｍのサイズに形成され、溶融固化後は直径６〜７ｍｍ程度の固まりとなっている。このガラス粒状部４ｅが飛散した時には比較的大きな運動エネルギーを持っているため、シュラウド８を破損し、更にシュラウド外周面を取り巻く螺旋状金属線１８の間隙を押し拡げて通過して外球２に衝突して、外球２を破損する場合があることが判明した。
【００３３】
（外球の破損を防禦する機構）
このような外球損傷事例に対して、第１実施形態に係るメタルハライドランプ１０が採用する外球２の破損を防禦する機構について説明する。
図１に示すように、この外球破損防禦機構は、発光管４を取り巻くシュラウド８と、シュラウドの外周面に螺旋状に巻き付けられた金属線１８とを備えている。更に、この外球破損防禦機構は、次のような特徴を有している。
【００３４】
(1) チップオフ部４ｅをフレーム側（支柱側）１６に向けて位置決めする。図２Ｃは、図１のランプ１０をランプ軸線に垂直な面（チップオフ部４ｅを含む面）で切断した断面図であり、軸線１０ａ、発光管のチップオフ部４ｅ、シュラウド８、金属線１８及びフレーム（支柱）１６の位置関係を模式的に描いた図である。即ち、ランプ軸線１０ａからフレーム１６に至る線（矢印Ｄ）の上に、チップオフ部４ｅを位置決めする。これにより、チップオフ部（ガラス粒状部）４ｅが、軸線１０ａから半径方向外向きに飛散してシュラウド８を破損して更に飛び散っても、機械的強度の強い金属製フレーム１６で阻止することが出来る。
【００３５】
(2) 発光管のチップオフ部の径をＴとしたとき、少なくともチップオフ部４ｅから±２Ｔの範囲では、シュラウド外周面に螺旋状に巻かれる金属線１８の巻き間隔を密にする。例えば、図１に示すように、チップオフ部（ガラス粒状部）４ｅの径をＴとすると、螺旋状金属線１８の軸線方向の範囲をチップオフ部４ｅから±２Ｔの範囲、軸線方向長さにして４Ｔの範囲内は巻き間隔を２Ｔ以下にする。
【００３６】
以上の特徴を有する外球破損防禦機構を備えたメタルハライドランプ１０を試作して、発光管４を強制的に破裂させる実験をした結果、この外球破損防禦機構によってチップオフ部（ガラス粒状部）４ｅの飛散を阻止できることを確認した。
【００３７】
なお、更なる外球破損防禦機構として、所望により、少なくともチップオフ部４ｅから±２Ｔの範囲に、金属製メッシュ、セラミック片、ガラス片等のいずれかを固定してもよい。
【００３８】
（発光管の変形例）
図３は、発光管４の変形例を示す図である。図２Ａ及び図２Ｂに示す発光管４と比較して、図３に示す発光管４は、排気管４ｄの位置、従って、発光管完成後ではチップオフ部（ガラス粒状部）４ｅの形成位置が相違する。即ち、図２Ａ及び図２Ｂに示す発光管４のチップオフ部４ｅは、封止部４ａ，４ｃを含む面に対して垂直な面内に形成されている。これに対して、図３に示す発光管４のチップオフ部４ｅは、封止部４ａ，４ｃを含む面内に形成されている点で相違している。なお、発光管４のチップオフ部４ｅの形成箇所は、これらに限定されず、任意所望の箇所であってよい。
【００３９】
［第２実施形態］
図４は、第２実施形態に係るメタルハライドランプの構造を示す図であり、（Ａ）は正面図、（Ｂ）は左側面図である。第１実施形態に係るメタルハライドランプ１０と比較して、第２実施形態に係るメタルハライドランプ２０は、次の点で相違する。即ち、第１実施形態ではチップオフ部の向きを特定し且つ金属線の巻き間隔を少なくともチップオフ部４ｅから±２Ｔの範囲では密にしている。これに対して、第２実施形態では、第１実施形態の金属線の巻き間隔を少なくともチップオフ部４ｅから±２Ｔの範囲では密にしている点を取り入れ、更に、シュラウド外周部に巻かれた金属線１８の発光管の中間部に対応する部分に対して位置ズレ防止手段を設けている。その他の部分に関しては、第３実施形態に係るメタルハライドランプ３０は、第１実施形態に係るメタルハライドランプ１０と同じである。
【００４０】
外球損傷事例を調査した結果、シュラウド外周部に巻かれた金属線１８が、当初、フレーム（支柱）１６に係止した箇所からずれている事例があった。この位置ズレが発生するのは、発光管４の中間部に対応する部分（即ち、チップオフ部４ｅに近い部分）であることが判明した。そこで、第２実施形態では、金属線１８の発光管の中間部に対応する部分に対して位置ズレ防止手段を設けることとした。
【００４１】
(1)位置ズレ防止手段は、螺旋状金属線の軸線方向長さにして４Ｔの範囲内では、金属線１８をフレーム１６に固定している。即ち、螺旋状金属線１８の半周毎に、金属線１８をフレーム１６に固定する。固定手段は、スポット溶接、ロウ付け等の任意の手段でよい。
従来、螺旋状金属線１８は、両端部の２箇所でフレーム等の固定部材に止めていた。しかし、第３実施形態では、両端部の２箇所でフレーム等の固定部材に止めることに加えて、螺旋状金属線１８の軸線方向長さにして４Ｔの範囲内で、金属線の半周毎にフレーム１６に固定している。
【００４２】
第１実施形態の外球破損防禦機構に加えて、金属線１８の発光管の中間部に対応する部分に対して位置ズレ防止手段を設けた結果、飛散するチップオフ部４ｅが金属線１８に衝突しても金属線１８は位置ズレしないため、チップオフ部４ｅを阻止する機能が向上する。
【００４３】
［第３実施形態］
図５は、第３実施形態に係るメタルハライドランプ３０の構造を示す図であり、（Ａ）は正面図であり、（Ｂ）は切り欠きを形成したフレーム（支柱）１６に金属線１８を巻いた状態を説明する一部拡大図である。即ち、第３実施形態は、第２実施形態の金属線の位置ズレ防止手段の他の実施例にあたる。
【００４４】
(1)位置ズレ防止手段は、螺旋状金属線の軸線方向長さにして４Ｔの範囲内では、フレーム１６に切り欠き１６ａを形成して、これに金属線１８を固定している。即ち、螺旋状金属線１８の半周毎に、金属線１８をフレーム１６に固定し、フレーム１６に対して金属線１８が位置ズレを起こさないようにしている。
【００４５】
第２実施形態では、位置ズレ防止手段は、軸線方向長さ４Ｔの範囲内で、金属線１８をフレーム１６にスポット溶接等で固定している。これに対して、第３実施形態の金属線１８の位置ズレ防止手段は、フレーム１６を加工することで、金属線１８が位置ズレを起こさないようにしている。予め、フレーム１６に切り欠き１６ａを形成することで、第２実施形態のようなフレーム１６に対する金属線１８のスポット溶接、ロウ付け等の作業を省略することが出来る。
その他の点では、第３の実施形態のメタルハライドランプ３０は、第２の実施形態のメタルハライドランプ２０と同じである。
【００４６】
［第４実施形態］
図示していないが、第４実施形態に係るメタルハライドランプは、第１実施形態と第２実施形態の組み合わせからなる。即ち、第４実施形態に係るメタルハライドランプは、第１実施形態のチップオフ部の向きを特定し且つ金属線の巻き間隔を少なくともチップオフ部４ｅから±２Ｔの範囲では密にしている点を取り入れ、更に、シュラウド外周部に巻かれた金属線１８の発光管の中間部に対応する部分に対して位置ズレ防止手段を設けている。
位置ズレ防止手段は、螺旋状金属線の軸線方向長さにして４Ｔの範囲内では、フレーム１６に切り欠き１６ａを形成して、これに金属線１８をスポット溶接等で固定している。
【００４７】
［第５実施形態］
図示していないが、第５実施形態に係るメタルハライドランプは、第１実施形態と第３実施形態の組み合わせからなる。即ち、第５実施形態に係るメタルハライドランプは、第４実施形態の位置ズレ防止手段を、フレーム１６に切り欠きを形成して金属線が位置ズレを起こさないように変更している。
【００４８】
［まとめ］
以上、本発明に係る石英ガラス製の発光管を用いたメタルハライドランプの実施形態に付いて説明したが、これらは例示であって、本発明を何等限定するものではない。本実施例に対して当業者が容易に成し得る追加・削除・変更・改良は、本発明の範囲内である。本発明の技術的範囲は、添付の特許請求の範囲の記載によって定められる。
【符号の説明】
【００４９】
２：外球、  ２ａ：中央部、  ２ｂ：トップ部、  ２ｃ：ネック部、  ４：発光管，石英ガラス製発光管、  ４ａ：封止部、  ４ｂ：中央部、  ４ｄ：排気管、  ４ｅ：ガラス粒状部，チップオフ部，飛散ガラス粒状部、  ６：Ｅ形口金，口金、  ８：シュラウド，内管、  １０：メタルハライドランプ，メタルハライドランプ，ランプ、  １０ａ：ランプ軸線，軸線、  １２：マウント、  １３：ステム管、  １４：電極集成体、  １４ａ：主電極、  １４ｂ：モリブデン箔、  １４ｃ：電極リード線、  １６：フレーム，支柱，金属製フレーム、  １７：補助電極、  １８：金属線，螺旋状金属線、  ２０：メタルハライドランプ、  ３０：メタルハライドランプ、  ４０：メタルハライドランプ
Ｄ：矢印、
【図１】
2015072789.tif 000003
【図２Ａ】
2015072789.tif 000004
【図２Ｂ】
2015072789.tif 000005
【図２Ｃ】
2015072789.tif 000006
【図３】
2015072789.tif 000007
【図４】
2015072789.tif 000008
【図５】
2015072789.tif 000009